(57)【要約】【課題】給湯待機中の温水利用時に給湯が開始されても、給湯設定温度より高温の給湯を防止できる貯湯給湯装置の制御方法を提供すること。【解決手段】熱源機で加熱した湯水の貯湯槽と、貯湯槽に接続された給水配管と出湯配管と、給水配管の分岐配管と出湯配管と給湯配管が接続された混合弁と、出湯配管から分岐されて出湯配管に接続され且つポンプと補助熱源機が介装された補助加熱配管と、補助熱源機で加熱した温水を利用するための温水利用配管を備えた貯湯給湯装置であって、高温水と低温水を混合する混合弁の混合比を調整して給湯設定温度の湯水を給湯する給湯運転制御と、給湯運転制御停止から待機時間が経過するまでは混合弁の高温水入口湯水温度に応じて混合比を調整する給湯待機制御を実行する貯湯給湯装置の制御方法において、給湯待機制御では、所定条件下で混合弁の高温水入口よりも上流側の最も高温の湯水温度に応じて混合比を調整する。【選択図】図３
2020159604.tif 000002
【特許請求の範囲】
【請求項１】
湯水を貯湯する貯湯槽と、前記貯湯槽の湯水を循環させて加熱する熱源機と、前記貯湯槽の底部に接続された給水配管と、前記貯湯槽の頂部に接続された出湯配管と、前記給水配管の分岐配管と前記出湯配管と給湯配管が接続された混合手段と、前記出湯配管から分岐されてその分岐部よりも混合手段側で前記出湯配管に接続された補助加熱配管と、前記補助加熱配管に介装された補助熱源機と、前記補助熱源機の入口側で前記補助加熱配管に介装されたポンプと、前記補助熱源機の出口側で前記補助加熱配管から分岐されて前記ポンプの入口側で前記補助加熱配管に接続された温水利用配管を備えた貯湯給湯装置であって、前記出湯配管から供給される高温水と前記分岐配管から供給される低温水を混合する前記混合手段の混合比を調整して給湯設定温度に調整した湯水を前記給湯配管から給湯する給湯運転制御と、前記給湯運転制御が停止されてから予め設定された待機時間が経過するまでは前記混合手段の高温水入口の湯水温度に応じて前記混合手段の混合比を調整する給湯待機制御を実行する貯湯給湯装置の制御方法において、
前記給湯待機制御では、所定条件下で前記混合手段の高温水入口よりも上流の湯水温度のうち最も高温の湯水温度に応じて前記混合手段の混合比を調整することを特徴とする貯湯給湯装置の制御方法。
【請求項２】
前記所定条件は、前記温水利用配管に温水を供給するために前記補助熱源機を使用する加熱運転を実行している状態であることを特徴とする請求項１に記載の貯湯給湯装置の制御方法。
【発明の詳細な説明】
【技術分野】
【０００１】
本発明は、貯湯給湯装置の制御方法に関し、特に給湯以外の温水利用のために加熱した温水を供給する機能を有する貯湯給湯装置の制御方法に関する。
【背景技術】
【０００２】
従来から、熱源機で貯湯槽の湯水を加熱して貯湯する貯湯運転によって貯湯した貯湯槽の湯水を給湯に使用する貯湯給湯装置が広く利用されている。このような貯湯給湯装置は、給湯に使用できる温度の湯水が貯湯槽に無い場合に貯湯槽の湯水や上水を加熱する加熱運転のための補助熱源機とポンプを備え、加熱運転により加熱した湯水を給湯に使用することができる。
【０００３】
また、貯湯給湯装置は、混合弁や混合装置等の混合手段を備え、混合手段で混合する高温水（貯湯運転で貯湯した湯水又は加熱運転で加熱した湯水）と低温水（上水）の混合比を調整して給湯設定温度に調整した湯水を給湯配管に供給する給湯運転を行う。給湯配管に接続された給湯栓等が開栓されると給湯運転が開始され、給湯栓等が閉止されると給湯運転が停止されて次回の給湯運転開始まで給湯待機状態になる。
【０００４】
給湯待機状態の貯湯給湯装置は、給湯運転停止後に所定の待機時間が経過するまで、混合手段の高温水入口の湯水温度等に応じて混合手段の混合比を調整している。時間経過と共に低下する高温水入口の配管内の湯水温度に合わせて混合比を調整しているので、次回の給湯運転開始時に早く給湯設定温度の湯水を給湯することができる。しかし、給湯待機中に高温の湯水が貯湯されると、次回の給湯運転開始時に、配管内の温度が低下した湯水が給湯されてから新たに貯湯された高温の湯水が混合手段に供給されるので、混合比の調整が間に合わずに給湯設定温度よりも高温の湯水が給湯されてしまう問題があった。
【０００５】
このような問題に対して、例えば特許文献１の給湯システムは、給湯待機時に貯湯槽の湯水温度と給湯設定温度に基づいて又は貯湯槽に流入する湯水温度と給湯設定温度に基づいて、混合ユニットにおける調整弁の開度調整によって混合比を調整することにより、給湯が再開されたときに給湯設定温度よりも高温の給湯を防いでいる。
【先行技術文献】
【特許文献】
【０００６】
【特許文献１】特許第４９０６４６４号公報
【発明の概要】
【発明が解決しようとする課題】
【０００７】
貯湯給湯装置には、上記の給湯機能だけでなく、補助熱源機を使用する加熱運転によって加熱した温水を暖房や風呂の追焚きに利用する給湯以外の温水利用機能を備えているものがある。特許文献１の給湯システムでは、温水利用機能で利用された温水と、給湯のために補助熱源機で加熱された温水は貯湯槽に流入し、この貯湯槽の温水温度に基づいて混合比を調整して給湯設定温度よりも高温の給湯を防いでいる。
【０００８】
このような特許文献１の給湯システムは、補助熱源機で加熱された湯水が貯湯タンクの湯水と混合されてから混合ユニットに供給されるので、混合ユニットに供給される温水の温度が変動して早く給湯設定温度の給湯を行うことが困難になる。また、温水利用機能を利用する場合には、貯湯運転により貯湯槽内に形成された湯水の温度成層を温水利用機能で利用された温水によって崩すことになり、好ましくない。
【０００９】
それ故、補助熱源機で加熱した湯水を混合手段に直接供給すると共に、温水利用機能で利用する温水を貯湯槽に流入させることなく循環させるように配管類を配設する。しかし、給湯待機中の温水利用機能の利用時に給湯運転が開始されると、温水利用機能のための温水が混合手段に供給されてしまうことがあり、混合手段の高温水入口の湯水温度や貯湯槽の湯水温度に応じて混合比を調整していても給湯設定温度よりも高温の給湯がされる虞があった。
【００１０】
本発明の目的は、給湯待機中の温水利用機能の利用時に給湯運転が開始された場合に、給湯設定温度よりも高温の給湯を防ぐことができる貯湯給湯装置の制御方法を提供することである。
【課題を解決するための手段】
【００１１】
請求項１の発明の貯湯給湯装置の制御方法は、湯水を貯湯する貯湯槽と、前記貯湯槽の湯水を循環させて加熱する熱源機と、前記貯湯槽の底部に接続された給水配管と、前記貯湯槽の頂部に接続された出湯配管と、前記給水配管の分岐配管と前記出湯配管と給湯配管が接続された混合手段と、前記出湯配管から分岐されてその分岐部よりも混合手段側で前記出湯配管に接続された補助加熱配管と、前記補助加熱配管に介装された補助熱源機と、前記補助熱源機の入口側で前記補助加熱配管に介装されたポンプと、前記補助熱源機の出口側で前記補助加熱配管から分岐されて前記ポンプの入口側で前記補助加熱配管に接続された温水利用配管を備えた貯湯給湯装置であって、前記出湯配管から供給される高温水と前記分岐配管から供給される低温水を混合する前記混合手段の混合比を調整して給湯設定温度に調整した湯水を前記給湯配管から給湯する給湯運転制御と、前記給湯運転制御が停止されてから予め設定された待機時間が経過するまでは前記混合手段の高温水入口の湯水温度に応じて前記混合手段の混合比を調整する給湯待機制御を実行する貯湯給湯装置の制御方法において、前記給湯待機制御では、所定条件下で前記混合手段の高温水入口よりも上流の湯水温度のうち最も高温の湯水温度に応じて前記混合手段の混合比を調整することを特徴としている。
【００１２】
上記構成によれば、温水利用配管の湯水を利用する機能を有する貯湯給湯装置は、混合手段で湯水を給湯設定温度に調整して給湯する給湯運転制御を実行する。また、給湯運転制御停止後に待機時間が経過するまでは、給湯設定温度の給湯が可能なように混合手段の高温水入口の湯水温度に応じて混合比を調整する給湯待機制御を実行する。この給湯待機制御では、所定条件下で混合手段に供給される可能性がある湯水のうち最も高温の湯水温度に応じて混合比を調整する。従って、給湯待機中に給湯運転が開始されたときに、混合手段に最も高温の湯水が供給されても給湯設定温度の給湯が可能な状態に準備されているので、給湯設定温度よりも高温の給湯を防ぐことができる。
【００１３】
請求項２の発明の貯湯給湯装置の制御方法は、請求項１の発明において、前記所定条件は、前記温水利用配管に温水を供給するために前記補助熱源機を使用する加熱運転を実行している状態であることを特徴としている。
【００１４】
上記構成によれば、温水利用配管に温水を供給するための補助熱源機を使用する加熱運転が実行中であることを所定条件として、この所定条件下で混合手段に供給される可能性がある湯水のうち最も高温の湯水温度に応じて混合比を調整する。従って、給湯待機中に給湯運転が開始されたときに、温水利用のために混合手段に最も高温の湯水が供給されても給湯設定温度の給湯が可能な状態に準備されているので、給湯設定温度よりも高温の給湯を防ぐことができる。
【発明の効果】
【００１５】
本発明の貯湯給湯装置の制御方法によれば、給湯待機中の温水利用機能の利用時に給湯運転が開始されても、給湯設定温度よりも高温の給湯を防ぐことができる。
【図面の簡単な説明】
【００１６】
【図１】本発明の実施例に係る貯湯給湯装置の構成図である。
【図２】本発明の実施例に係る貯湯給湯装置の給湯運転制御のフローチャートである。
【図３】本発明の実施例に係る貯湯給湯装置の給湯待機制御のフローチャートである。
【発明を実施するための形態】
【００１７】
以下、本発明を実施するための形態について実施例に基づいて説明する。
【実施例】
【００１８】
図１に示すように貯湯給湯装置１は、湯水を貯湯するための貯湯槽２と、この貯湯槽２の湯水を循環させて加熱するための熱源機３と、温度を調整して給湯するための混合弁４（混合手段）を備え、貯湯槽２から熱源機３に湯水を供給する熱源機往き配管５と熱源機３から貯湯槽２に湯水を戻す熱源機戻り配管６を有する。熱源機往き配管５には熱源機３に導入される湯水の温度を検知する熱源機往き温度センサ５ａが配設され、熱源機戻り配管６には熱源機３で加熱された湯水の温度を検知する熱源機戻り温度センサ６ａが配設されている。熱源機３は、例えばヒートポンプ式熱源機や燃料電池等の発電時の熱を利用する熱源機であり、貯湯槽２の湯水を給湯設定温度よりも高温に加熱して貯湯する貯湯運転を行う。
【００１９】
また、貯湯給湯装置１は、貯湯槽２に上水（低温水）を供給するために貯湯槽２の底部に接続された給水配管７と、貯湯槽２の湯水を出湯するために貯湯槽２の頂部に接続された出湯配管８を備えている。給水配管７には低温水の温度を検知する給水温度センサ７ａが配設されている。貯湯槽２にはその高さ方向に所定の間隔を空けて配設された複数の貯湯温度センサ２ａ〜２ｅが配設されている。
【００２０】
混合弁４には、給水配管７から分岐された第１分岐配管９（分岐配管）と出湯配管８と給湯配管１０が接続されている。給湯設定温度の給湯を行う給湯運転では、出湯配管８から供給される湯水（高温水）と第１分岐配管９から供給される低温水を混合して給湯設定温度に調整するために、混合弁４の混合比を調整する。混合弁４で混合された湯水は、給湯配管１０に供給されて給湯栓１１等から給湯される。混合弁４の高温水入口近傍の出湯配管８には、混合弁４に供給される高温水の温度を検知する混合弁高温水入口温度センサ８ａが配設されている。給湯配管１０には、給湯流量を検知する給湯流量センサ１０ａと、給湯温度を検知する給湯温度センサ１０ｂと、給湯流量を調整する給湯流量調整弁１０ｃ等が配設されている。
【００２１】
出湯配管８から補助加熱配管１２が分岐され、その分岐部よりも混合弁４側で補助加熱配管１２が出湯配管８に接続されている。補助加熱配管１２には、湯水を加熱するための補助熱源機１４が介装されている。補助熱源機１４の湯水の入口側の補助加熱配管１２には、湯水を補助熱源機１４に供給するためのポンプ１５が介装されている。また、補助熱源機１４の湯水の出口側の補助加熱配管１２には、補助熱源機１４で加熱された湯水温度を検知する補助熱源機出口温度センサ１２ａが配設され、出湯配管８に供給する湯水量を調整するための流量調整弁１６が介装されている。流量調整弁１６には、流通する湯水温度を検知する流量調整弁温度センサ１６ａが配設されている。
【００２２】
補助熱源機１４の湯水の出口側であって流量調整弁１６よりも上流側の補助加熱配管１２から温水利用配管１８が分岐され、この温水利用配管１８がポンプ１５の入口側で補助加熱配管１２に接続されている。この接続部には補助熱源機１４に湯水を供給する２つの経路（補助加熱配管１２、温水利用配管１８）を切替えるための三方弁１９が配設されている。この三方弁１９は、両経路の湯水を混合して補助熱源機１４に供給するように調整することも可能である。補助熱源機１４は、例えば燃料ガスの燃焼熱を利用して湯水を加熱する燃焼式の熱源機である。
【００２３】
温水利用配管１８には、補助熱源機１４を使用する加熱運転によって加熱された温水が供給される。この温水利用配管１８には、例えば図示外の暖房機器に供給する暖房熱媒を加熱する暖房運転のために温水と暖房熱媒の間で熱交換させる暖房用熱交換器１８ａや、風呂の湯水を加熱（追焚き）する風呂追焚運転のための風呂追焚用熱交換器１８ｂが配設されている。また、温水利用配管１８には、暖房運転時に開放される暖房電磁弁１８ｃや風呂追焚運転時に開放される風呂追焚電磁弁１８ｄ等、給湯以外の温水利用時に開放される電磁弁が配設され、これらの電磁弁よりも下流側の温水利用配管１８に給水配管７から分岐された第２分岐配管２０が接続されている。
【００２４】
貯湯給湯装置１は、給湯運転等を制御するための制御部２１を備えている。制御部２１は、貯湯温度センサ２ａ等の各部に配設された温度センサの検知温度や、給湯流量センサ１０ａの検知流量等に基づいて、各種弁やポンプ１５等の機器類を作動させる制御を行う。また、制御部２１は、計時機能や給湯使用履歴を記憶する機能等を備え、貯湯給湯装置１の操作や給湯設定温度等の各種設定を行うための操作端末２２が接続されている。
【００２５】
次に、貯湯給湯装置１の制御方法について説明する。
貯湯運転は、熱源機３が例えばヒートポンプ式熱源機の場合に、この熱源機３を作動させて貯湯槽２の湯水を熱源機３に導入し、熱源機３で貯湯設定温度（例えば６５℃）に加熱した湯水を貯湯槽２の上部から貯湯する。このとき制御部２１は、過去の給湯使用履歴に基づいて予測した貯湯熱量を予測した時刻までに貯湯するように貯湯運転を開始させて貯湯運転制御を行う。熱源機３が発電時の熱を利用して加熱する熱源機の場合には、制御部２１は貯湯温度センサ２ａ〜２ｅの検知温度に基づいて貯湯熱量を取得し、予め定まっている貯湯槽２の貯湯熱量の上限を超えないように放熱動作制御等を行う。
【００２６】
給湯運転において、制御部２１は給湯運転制御を行って、混合弁高温水入口温度センサ８ａの検知温度（混合弁高温水入口温度）と給水温度センサ７ａの検知温度（給水温度）と設定されている給湯設定温度に基づいて、給湯温度センサ１０ｂの検知温度が給湯設定温度になるように混合弁４の混合比を調整する。この給湯運転制御について図２のフローチャートに基づいて説明する。尚、フローチャート中のＳｉ（ｉ＝１，２，・・・）はステップを表す。
【００２７】
給湯栓１１の開栓等によって給湯流量センサ１０ａが所定流量以上の流量を検知すると、給湯運転制御が開始される。Ｓ１において貯湯温度センサ２ａ等の検知温度と給湯設定温度に基づいて、給湯に使用するために高温水を貯湯槽２から混合弁４に供給するか否か判定する。高温水の供給源を貯湯槽２と補助熱源機１４から選択するステップである。判定がＹｅｓの場合はＳ２進み、Ｓ２において貯湯槽２から高温水を供給して混合弁４の混合比を調整し、給湯設定温度の給湯を行ってＳ３に進む。
【００２８】
Ｓ３において、高温水を供給するための貯湯熱量が貯湯槽２に残っているか否か判定する。判定がＹｅｓの場合はＳ４に進み、Ｓ４において給湯流量センサ１０ａが所定流量以上の流量を検知しているか否か判定する。判定がＹｅｓの場合はＳ２に戻り、判定がＮｏの場合はＳ７に進む。
【００２９】
一方、Ｓ１の判定がＮｏの場合、又はＳ３の判定がＮｏの場合にはＳ５に進む。そしてＳ５において、補助熱源機１４を使用する加熱運転で加熱した湯水を高温水として混合弁４に供給すると共に混合弁４の混合比を調整し、給湯設定温度の給湯を行ってＳ６に進む。Ｓ６において給湯流量センサ１０ａが所定流量以上の流量を検知しているか否か判定する。判定がＹｅｓの場合はＳ５に戻り、判定がＮｏの場合はＳ７に進む。
【００３０】
Ｓ４の判定がＮｏの場合、又はＳ６の判定がＮｏの場合にＳ７において、給湯待機制御に移行して給湯運転制御を停止する。
【００３１】
上記のように、高温水の供給源が貯湯槽２の場合は、貯湯温度センサ２ａ〜２ｅの検知温度等に基づいて貯湯熱量を取得する。高温水の供給源が補助熱源機１４の場合には、第２分岐配管２０を介して低温水を補助熱源機１４に供給するために三方弁１９を温水利用配管１８側に切替えてポンプ１５を起動し、補助熱源機１４を作動させて加熱運転を制御する。
【００３２】
給湯によって貯湯熱量が減少して、貯湯槽２から補助熱源機１４に高温水の供給源を切替える場合にも、三方弁１９を補助加熱配管１２側に切替えてポンプ１５を起動し、補助熱源機１４を作動させて加熱運転を制御する。尚、補助熱源機１４で加熱して給湯する際には、出湯配管８に供給された高温水の一部が補助加熱配管１２に流入するように三方弁１９を調整すると共にポンプ１５の吐出量を増やすことにより、貯湯槽２の湯水が出湯配管８の高温水に混入しないようにして、良好な出湯特性を確保している。
【００３３】
給湯栓１１の閉栓等によって給湯流量センサ１０ａの検知流量が所定流量未満になると、制御部２１は給湯運転制御を停止し、給湯待機状態になる。給湯使用者の利便性向上のために、貯湯給湯装置１には給湯が開始されたときに早く給湯設定温度の給湯ができることが要求されている。そのため制御部２１は、給湯待機中に次回の給湯運転で早く給湯設定温度の給湯ができるように給湯待機制御を実行する。
【００３４】
給湯待機制御では、混合弁高温水入口温度等に応じて、給湯設定温度の給湯が可能なように混合弁４の混合比を調整する。これにより、給湯開始後に早く給湯設定温度の給湯をすることが可能になる。この給湯待機制御について、図３のフローチャートに基づいて説明する。
【００３５】
給湯運転制御が停止されて給湯待機制御が開始されると、Ｓ１０において暖房運転等のために温水利用中か否か判定する。判定がＹｅｓの場合はＳ１１に進み、判定がＮｏの場合はＳ１９に進む。
【００３６】
Ｓ１１において、貯湯給湯装置１内の各所に配設された温度センサが検知した湯水温度と給水温度センサ７ａが検知した給水温度を取得してＳ１２に進む。湯水温度を取得する温度センサは、混合弁４の高温水入口よりも上流側の配管等に配設された温度センサであり、少なくとも貯湯槽２の上部に配設された貯湯温度センサ２ａ、混合弁高温水入口温度センサ８ａ、補助熱源機出口温度センサ１２ａ、流量調整弁温度センサ１６ａが含まれる。
【００３７】
Ｓ１２において、Ｓ１１で取得した温水温度のうち最も高い温水温度を抽出してＳ１３に進む。そしてＳ１３において、Ｓ１２で抽出した温水温度とＳ１１で取得した給水温度と設定されている給湯設定温度に基づいて、混合弁４の混合比を調整してＳ１４に進む。このとき、混合比を調整することによって、混合弁４に最も高温の湯水が供給されても給湯設定温度の給湯が可能な状態に準備しておく。
【００３８】
Ｓ１４において、暖房運転等の温水利用が停止されたか否か判定する。温水利用が停止されて判定がＹｅｓの場合はＳ１５に進み、温水利用が継続されて判定がＮｏの場合はＳ１１に戻る。Ｓ１５において、温水利用停止から所定時間（例えば１０分）が経過したか否か判定する。所定時間経過により判定がＹｅｓの場合はＳ１６に進み、判定がＮｏの場合はＳ１１に戻る。
【００３９】
Ｓ１６において、混合弁４の現在の混合比を維持してＳ１７に進む。次回の給湯運転が開始されたときに混合弁４に供給される可能性がある湯水のうち最も高い湯水温度に応じた混合比に調整されているので、給湯設定温度よりも高温の給湯を防ぐことができる。そしてＳ１７において温水利用が開始されたか否か判定し、判定がＹｅｓの場合はＳ１１に戻り、判定がＮｏの場合はＳ１８に進む。Ｓ１８において給湯が開始されたか否か判定し、判定がＹｅｓの場合はＳ２５に進んで給湯運転制御に移行して給湯待機制御を停止し、判定がＮｏの場合はＳ１７に戻る。
【００４０】
一方、Ｓ１０の判定がＮｏの場合にＳ１９において、給湯運転停止から予め設定された待機時間（例えば１０分）が経過したか否か判定する。待機時間が経過しておらず判定がＮｏの場合はＳ２０に進み、Ｓ２０において混合弁高温水入口温度と、給水温度を取得してＳ２１に進む。そしてＳ２１において、Ｓ２０で取得した混合弁高温水入口温度と給水温度と設定されている給湯設定温度に基づいて、混合弁４の混合比を調整してＳ２３に進む。このとき、混合弁高温水入口温度の湯水を給湯設定温度で給湯が可能な状態に準備している。待機時間が経過してＳ１９の判定がＹｅｓの場合はＳ２２に進み、Ｓ２２において混合弁４の現在の混合比を維持してＳ２３に進む。
【００４１】
Ｓ２３において、温水利用が開始されたか否か判定し、判定がＹｅｓの場合はＳ１１に移行し、判定がＮｏの場合はＳ２４に進む。Ｓ２４において給湯が開始されたか否か判定し、判定がＹｅｓの場合はＳ２５に進んで給湯運転制御に移行して給湯待機制御を停止し、判定がＮｏの場合はＳ１９に戻る。
【００４２】
上記のように、給湯待機制御開始時に温水利用中でない場合に制御部２１は、給湯停止後に待機時間が経過するまでは、混合弁高温水入口温度に応じて混合弁４の混合比を給湯設定温度の給湯ができるように調整する。これにより、給湯開始後に早く給湯設定温度の給湯をすることが可能になる。
【００４３】
例えば暖房運転のために、給湯待機制御開始時に温水利用中である場合又は給湯待機制御中に温水利用を開始した場合には、制御部２１は、暖房電磁弁１８ｃを開放し、三方弁１９を温水利用配管１８側に切替えてポンプ１５を起動し、補助熱源機１４を作動させて加熱運転を制御する。加熱運転では、湯水を予め暖房運転用に定められた温度（例えば８０℃）に加熱する。
【００４４】
これと同時に制御部２１は、混合弁４の高温水入口よりも上流側の配管等に配設された温度センサが検知した湯水温度のうち、最も高い湯水温度に応じて混合弁４の混合比を調整する。即ち、給湯運転の開始によって混合弁４に供給される可能性がある最も高い湯水温度に応じて混合弁４の混合比を調整する。給湯運転が開始された場合に温水利用のために加熱された湯水が流量調整弁１６を通って出湯配管８に流入しても、既に最も高い温水温度に応じた混合比で準備しているので、給湯設定温度よりも高温の給湯にならない。
【００４５】
温水利用中に給湯するときには、制御部２１は、通常の単独の給湯運転と同様に、混合弁４に高温水を供給する供給源を選択して給湯運転を制御する。高温水の供給源が補助熱源機１４の場合は、温水利用のための加熱運転と給湯のための加熱運転を併せて実行する。
【００４６】
本発明の作用、効果について説明する。
温水利用配管１８の湯水を利用する機能を有する貯湯給湯装置１は、混合弁４で湯水を給湯設定温度に調整して給湯する給湯運転制御を実行する。また、給湯運転制御停止後に待機時間が経過するまでは、給湯設定温度の給湯が可能なように混合弁４の高温水入口の湯水温度に応じて混合比を調整する給湯待機制御を実行する。給湯待機制御では、所定条件下で混合弁４に供給される可能性がある湯水のうち最も高温の湯水温度に応じて混合比を調整する。従って、給湯待機中に給湯運転が開始されたときに、混合弁４に最も高温の湯水が供給されても給湯設定温度の給湯が可能な状態に準備されているので、給湯設定温度よりも高温の給湯を防ぐことができる。
【００４７】
所定条件として、温水利用配管１８に温水を供給するための加熱運転が実行中であるときには、混合弁４に供給される可能性がある湯水のうち最も高温の湯水温度に応じて混合比を調整する。従って、給湯待機中に給湯が開始されたときに、温水利用のために混合弁４に最も高温の湯水が供給されても給湯設定温度よりも高温の給湯を防ぐことができる。
【００４８】
混合手段は、高温水の流量調整弁の流量と低温水の流量調整弁の流量を夫々調整することにより混合比を調整するように構成された混合装置であってもよい。この場合も上記実施例と同等の効果が得られる。その他、当業者であれば、本発明の趣旨を逸脱することなく、上記実施形態に種々の変更を付加した形態で実施可能であり、本発明はそのような変更形態を包含するものである。
【符号の説明】
【００４９】
１      ：貯湯給湯装置
２      ：貯湯槽
２ａ〜２ｅ    ：貯湯温度センサ
３      ：熱源機
４      ：混合弁（混合手段）
５      ：熱源機往き配管
５ａ    ：熱源機往き温度センサ
６      ：熱源機戻り配管
６ａ    ：熱源機戻り温度センサ
７      ：給水配管
７ａ    ：給水温度センサ
８      ：出湯配管
８ａ    ：混合弁高温水入口温度センサ
９      ：第１分岐配管（分岐配管）
１０    ：給湯配管
１０ａ  ：給湯流量センサ
１０ｂ  ：給湯温度センサ
１０ｃ  ：給湯流量調整弁
１１    ：給湯栓
１２    ：補助加熱配管
１２ａ  ：補助熱源機出口温度センサ
１４    ：補助熱源機
１５    ：ポンプ
１６    ：流量調整弁
１６ａ  ：流量調整弁温度センサ
１８    ：温水利用配管
１８ａ  ：暖房用熱交換器
１８ｂ  ：風呂追焚用熱交換器
１８ｃ  ：暖房電磁弁
１８ｄ  ：風呂追焚電磁弁
１９    ：三方弁
２０    ：第２分岐配管
２１    ：制御部
２２    ：操作端末
【図１】
2020159604.tif 000003
【図２】
2020159604.tif 000004
【図３】
2020159604.tif 000005